(57)【要約】【課題】本発明は、光ネットワークにおいて薄膜フィルター方式で作動される波長分割多重化システムに光減衰器を一体に集積して、独立部品同士の単一化を図り、構造を単純化し、性能と信頼性が高められる光減衰器一体型波長分割多重化装置に関する。【解決手段】本発明は，外部から混合された光信号が受信される受信光ファイバ１１０ａと、前記受信光ファイバ１１０ａの出力端に設けられ中心波長と一致する波長の光信号のみ透過させ残りの波長の光信号を反射させるフィルター１２０と、前記フィルター１２０を透過した波長の光信号が出力される送信光ファイバ１３０ａとを備え、前記フィルター１２０と送信光ファイバ１３０ａとの間で光信号を減衰させる遮断部材１４０と、前記フィルター１２０を透過して送信される光信号の送信方向と交差する方向に前記遮断部材１４０を移動させるアクチュエータと、前記アクチュエータの作動量を制御する制御部とで成る。【選択図】図１
2005122096.tif 000002
【特許請求の範囲】
【請求項１】
一つのチャネルで伝送される混合された光信号のうち必要な特定波長を多数個のチャネルに分離してＤｅｍｕｘする波長分割多重化装置において、
外部から混合された光信号が受信される受信光ファイバと、
前記受信光ファイバの出力端に設けられ中心波長と一致する波長の光信号のみ透過させ残りの波長の光信号を反射させるフィルターと、
前記フィルターを透過した波長の光信号が出力される送信光ファイバとを備え、
前記フィルターと送信光ファイバとの間で光信号を減衰させる遮断部材と、
前記フィルターを透過して送信される光信号の送信方向と交差する方向に前記遮断部材を移動させるアクチュエータと、
前記アクチュエータの作動量を制御する制御部とを含むことを特徴とする光減衰器一体型波長分割多重化装置。
【請求項２】
前記フィルターは誘電体薄膜フィルターであることを特徴とする請求項１に記載の光減衰器一体型波長分割多重化装置。
【請求項３】
前記遮断部材は前記フィルターを透過した光信号を屈折させるシングルグリンレンズと前記フィルターとの間に形成されるエアギャップに対応配置されることを特徴とする請求項１に記載の光減衰器一体型波長分割多重化装置。
【請求項４】
前記遮断部材は前記フィルターを透過した光信号を屈折させるシングルグリンレンズと前記送信光ファイバが設けられるシングルピグテールとの間に形成されるエアギャップに対応配置されることを特徴とする請求項１に記載の光減衰器一体型波長分割多重化装置。
【請求項５】
前記アクチュエータはコムドライブ型ＭＥＭＳアクチュエータであることを特徴とする請求項１に記載の光減衰器一体型波長分割多重化装置。
【請求項６】
前記アクチュエータはスクラッチドライブ型ＭＥＭＳアクチュエータであることを特徴とする請求項１に記載の光減衰器一体型波長分割多重化装置。
【請求項７】
前記アクチュエータは前記受信、送信光ファイバを備えたメイン基板上に一体に設けられることを特徴とする請求項１に記載の光減衰器一体型波長分割多重化装置。
【請求項８】
前記制御部は前記遮断部材により減衰され送信される光信号の強度を感知して測定した後、測定値を前記制御部にフィードバックする光受信素子と連結構成されることを特徴とする請求項１に記載の光減衰器一体型波長分割多重化装置。
【請求項９】
一つのチャネルで伝送される混合された光信号のうち必要な特定波長を多数個のチャネルに分離してＤｅｍｕｘする波長分割多重化装置において、
外部から混合された光信号が入力される受信光ファイバを有するデュアルコリメータと、
前記受信光ファイバの出力端に設けられ中心波長と一致する波長の光信号のみ透過させ残りの波長の光信号を反射させるフィルターと、
前記フィルターを透過した波長の光信号が出力される送信光ファイバを有するシングルコリメータとを備え、
前記フィルターとシングルコリメータとの間で光信号を減衰させる遮断部材と、
前記フィルターを透過して出力される光信号の出力方向と交差する方向に前記遮断部材を移動させるＭＥＭＳアクチュエータと、
前記アクチュエータの作動量を制御する制御部とを含むことを特徴とする光減衰器一体型波長分割多重化装置。
【請求項１０】
前記デュアル、シングルコリメータは、前記受信、送信光ファイバが設けられるデュアル、シングルピグテールと、前記デュアル、シングルピグテールの出力側端部に透明な接着部材を介して付着されるデュアル、シングルグリンレンズと、前記デュアル、シングルピグテールが挿入される中空型デュアル、シングルガラス部材とで成ることを特徴とする請求項９に記載の光減衰器一体型波長分割多重化装置。
【請求項１１】
前記遮断部材は、前記シングルコリメータのシングルグリンレンズと前記フィルターとを同軸で連結する接着部材に形成されるエアギャップに対応配置されることを特徴とする請求項９に記載の光減衰器一体型波長分割多重化装置。
【請求項１２】
前記遮断部材は、前記シングルコリメータのシングルグリンレンズとピグテールとの間を同軸で連結する接着部材に形成されるエアギャップに対応配置されることを特徴とする請求項９に記載の光減衰器一体型波長分割多重化装置。
【請求項１３】
一つのチャネルで伝送される混合された光信号のうち必要な特定波長を多数個のチャネルに分離してＤｅｍｕｘする波長分割多重化装置において、
外部から混合された光信号が入力される受信光ファイバを有するデュアルコリメータと、
前記受信光ファイバの出力端に設けられ中心波長と一致する波長の光信号のみ透過させ残りの波長の光信号を反射させるよう前記デュアルコリメータの出力端に同軸で付着されるフィルターと、
前記フィルターを透過した波長の光信号が出力される送信光ファイバを有するシングルコリメータと、
前記デュアル、シングルコリメータのデュアル、シングルピグテールが各々挿入されるデュアル、シングルガラス部材が前記フィルターとシングルコリメータとの間にエアギャップを形成するよう左右両端に各々装着される固定チューブとを備え、
前記エアギャップを通過する光信号を減衰させる遮断部材と、
前記フィルターを透過して出力される光信号の出力方向と交差する方向に前記遮断部材を移動させるＭＥＭＳアクチュエータと、
前記アクチュエータの作動量を制御する制御部とを含むことを特徴とする光減衰器一体型波長分割多重化装置。
【請求項１４】
前記固定チューブは、左右両端の外周面に硬化用ガスが供給されるガス孔が各々貫通形成されることを特徴とする請求項１３に記載の光減衰器一体型波長分割多重化装置。
【請求項１５】
前記固定チューブは、前記エアギャップと対応する外部面に前記遮断部材が自由に移動する開口部が貫通形成されることを特徴とする請求項１３に記載の光減衰器一体型波長分割多重化装置。
【発明の詳細な説明】
【技術分野】
【０００１】
本発明は、光ネットワークにおいて薄膜フィルター方式で作動される波長分割多重化システムに光減衰器を一体に集積して、独立部品同士の単一化を図り、構造を単純化し、性能と信頼性が高められる光減衰器一体型波長分割多重化装置に関するものである。
【背景技術】
【０００２】
一般に、波長分割多重化システム（ＷＤＷ：Ｗａｖｅｌｅｎｇｔｈ  Ｄｉｖｉｓｉｏｎ  Ｍｕｌｔｉｐｌｅｘｉｎｇ  ｓｙｓｔｅｍ）は一箇所からの光信号を複数の箇所に分配するか、または逆に複数の箇所からの光信号を一箇所に集合させるもので、システムの発展及び普及により大容量のデータをやりとりすることのできる光ネットワークが使用されている。
【０００３】
こうした波長分割多重化システムにおいて、複数のチャネルで伝送された信号を１つのチャネルに集めるＭＵＸ機能を備えた合波器（ｍｕｌｔｉｐｌｅｘｅｒ）と、１つのチャネルで伝送されて混合された信号中必要な特定波長をチャネル別に分離するＤｅｍｕｘ機能を備えた分波器（ｄｅｍｕｌｔｉｐｌｅｘｅｒ）とは必需的な構成部品である。
【０００４】
こうした波長分割多重化システムにおいて入力される光信号をＤｅｍｕｘする分波器は、波長に応じて屈折及び反射が異なってくる原理を利用するグレーティング（ｇｒａｔｉｎｇ）方式と、一波長はフィルターを通過するが他波長は反射する原理を利用する薄膜フィルター（Ｔｈｉｎ  Ｆｉｌｍ  Ｆｉｌｔｅｒ）方式とが知られている。
【０００５】
図８は一般の薄膜フィルター方式を用いた波長分割多重化装置を示した概略図で、図９は一般の薄膜フィルター方式を用いた波長分割多重化装置を示した構成図である。
【０００６】
前記方式中後者の薄膜フィルター方式を用いた波長分割多重化装置（２０１）において光信号をＤｅｍｕｘする分波器（２０１ａ）は図８と図９に示したように、入力端の受信光ファイバ（２１０ａ）の各一端が連結されるデュアルコリメータ（Ｄｕａｌ  Ｃｏｌｌｉｍａｔｏｒ）（２１０）と、出力端である送信光ファイバ（２３０ａ）の一端が連結されるシングルコリメータ（Ｓｉｎｇｌｅ  Ｃｏｌｌｉｍａｔｏｒ）（２３０）とを備え、前記デュアル、シングルコリメータ（２１０）（２３０）の間には波長に応じた透過率差を用いて一波長のみ透過させ前記送信光ファイバ（２３０ａ）に送り、残りの他波長は反射光ファイバ（２１０ｂ）に反射させるフィルター（２２０）を配置する。
【０００７】
そして、前記デュアルコリメータ（２１０）は、前記光ファイバ（２１０ａ）（２１０ｂ）を通して入力される光信号がグリンレンズ（ＧＲＩＮ  Ｌｅｎｓ；Ｇｒａｄｅ  Ｉｎｄｅｘ  Ｌｅｎｓ）（２１２）に平行に入射するよう光ファイバ（２１０ａ）（２１０ｂ）を固定するデュアルピグテール（Ｐｉｇ  Ｔａｉｌ）（２１１）と、前記入力された光信号が前記フィルター（２２０）に焦点が合うよう光信号を屈折させるグリンレンズ（Ｇｒｉｎ  ｌｅｎｓ）（２１２）とで成り、前記シングルコリメータ（２３０）は前記フィルター（２２０）側へ入射した光信号中反射されずに通過する波長に該当する光信号が出力端側送信光ファイバ（２３０ａ）に出力されるよう前記送信光ファイバ（２３０ａ）を固定するシングルピグテール（２３１）とグリンレンズ（２３２）とで成る。
【０００８】
前記デュアル、シングルピグテール（２１１）（２３１）及びグリンレンズ（２１２）（２３２）は入出力される光信号が減衰されずに外部衝撃から保護されるようガラス部材（２１３）（２３３）で囲繞され、前記ガラス部材（２１３）（２３３）は前後端にデュアルコリメータ（２１０）とフィルター（２２０）との結合に使用されたエポキシ樹脂の硬化を促すべく窒素ガス供給用貫通孔（２４１）（２４２）が各々貫通形成されている固定チューブ（２４０）内に位置固定される。
【０００９】
一方、前記構成を有する波長分割多重化装置（２０１）の分波器（２０１ａ）において、前記シングルコリメータ（２３０）の送信光ファイバ（２３０ａ）を通過する光信号の歪曲を減らし、伝送効率を高められるよう光信号の光量を調節する光減衰器（２５０）をＤｅｍｕｘされた光信号を取り出す各チャネルのシングルコリメータ（２３０）の後端に設ける。
【００１０】
こうした光減衰器（２５０）は、各チャネル毎に設けられるシングルコリメータ（２３０）の出力側光ファイバと前記光減衰器（２５０）の入力側光ファイバとを同軸線上に位置させた状態で光ファイバ溶融接着器（ｓｐｌｉｃｅｒ）（図示せず）を用いて、前記分波器（２０１ａ）のシングルコリメータ（２３０）と、光信号を受信し光量調節後、送信できるよう連結構成した。
【発明の開示】
【発明が解決しようとする課題】
【００１１】
ところで、複数個のチャネルを通して入力される光信号を分波する分波器（２０１ａ）と、前記分波器（２０１ａ）から分波された光信号の光量を減衰する光減衰器（２５０）とは各々別に作製された後、前記分波器（２０１ａ）から分波された光信号を光減衰器（２５０）側に送信できるよう溶融接着器として相互連結される連結部（２６０）を設けなければならない為、作製及び組立工程が大変複雑で製造原価が上昇するばかりでなく、全体のシステムが占める面積が大きくなり製品の小型化に限界があった。
【００１２】
また、前記波長分割多重化装置の分波器（２０１ａ）と光減衰器（２５０）とを互いに溶融接着させて連結する連結部（２６０）を通して光信号を伝送する際、挿入損失が多く発生し製品の信頼性を低下させる問題があった。
【００１３】
本発明は、前記問題を解決するために案出されたものとして、その目的は、分波器において選択されて透過された光信号が通過する通路に光信号が減衰できるよう光減衰器を一体に集積化することにより全体システムの構造及び組立工程を単純化して製造原価を節減し、小型化設計を可能にさせるばかりでなく、光ファイバを通して出力される光信号の挿入損失を下げて製品の信頼性を向上させられる光減衰器一体型波長分割多重化装置を提供することにある。
【課題を解決するための手段】
【００１４】
前記目的を成し遂げるための技術的な手段として、本発明は、一つのチャネルで伝送する混合された光信号中必要な特定波長を多数個のチャネルに分離してＤｅｍｕｘする波長分割多重化装置において、外部から混合された光信号が受信される受信光ファイバと、前記受信光ファイバの出力端に設けられ中心波長と一致する波長の光信号のみ透過させ残りの波長の光信号を反射させるフィルターと、前記フィルターを透過した波長の光信号が出力される送信光ファイバとを備え、前記フィルターと送信光ファイバとの間で光信号を減衰させる遮断部材と、前記フィルターを透過して送信される光信号の送信方向と交差する方向に前記遮断部材を移動させるアクチュエータと、前記アクチュエータの作動量を制御する制御部とを含むことを特徴とする光減衰器一体型波長分割多重化装置を具備する。
【００１５】
好ましくは、前記フィルターは誘電体薄膜フィルターである。好ましくは、前記遮断部材は前記フィルターを透過した光信号を屈折させるシングルグリンレンズと前記フィルターとの間に形成されるエアギャップに対応配置される。好ましくは、前記遮断部材は前記フィルターを透過した光信号を屈折させるシングルグリンレンズと前記送信光ファイバが設けられるシングルピグテールとの間に形成されるエアギャップに対応配置される。好ましくは、前記アクチュエータはコムドライブ型ＭＥＭＳアクチュエータである。好ましくは、前記アクチュエータはスクラッチドライブ型ＭＥＭＳアクチュエータである。好ましくは、前記アクチュエータは前記受信、送信光ファイバが備えられるメイン基板上に一体に設けられる。好ましくは、前記制御部は、前記遮断部材により減衰され送信される光信号の強度を感知し測定してから測定値を前記制御部にフィードバックする光受信素子と連結構成される。
【００１６】
本発明は、一つのチャネルで伝送される混合された光信号中必要な特定波長を多数個のチャネルに分離してＤｅｍｕｘする波長分割多重化装置において、外部から混合された光信号が入力される受信光ファイバを有するデュアルコリメータと、前記受信光ファイバの出力端に設けられ中心波長と一致する波長の光信号のみ透過させ残りの波長の光信号を反射させるフィルターと、前記フィルターを透過した波長の光信号が出力される送信光ファイバを有するシングルコリメータとを備え、前記フィルターとシングルコリメータとの間で光信号を減衰させる遮断部材と、前記フィルターを透過して出力される光信号の出力方向と交差する方向に前記遮断部材を移動させるＭＥＭＳアクチュエータと、前記アクチュエータの作動量を制御する制御部とを含むことを特徴とする光減衰器一体型波長分割多重化装置を具備する。
【００１７】
好ましくは、前記デュアル、シングルコリメータは前記受信、送信光ファイバを備えたデュアル、シングルピグテールと、その出力側端部に透明な接着部材を介して付着されるデュアル、シングルグリンレンズと、前記デュアル、シングルピグテールが挿入される中空型デュアル、シングルガラス部材とで成る。好ましくは、前記遮断部材は、前記シングルコリメータのシングルグリンレンズと前記フィルターとを同軸で連結する接着部材に形成されるエアギャップに対応配置される。好ましくは、前記遮断部材は、前記シングルコリメータのシングルグリンレンズとピグテールとの間を同軸で連結する接着部材に形成されるエアギャップに対応配置される。
【００１８】
本発明は、一つのチャネルで伝送される混合された光信号中必要な特定波長を多数個のチャネルに分離してＤｅｍｕｘする波長分割多重化装置において、外部から混合された光信号が入力される受信光ファイバを有するデュアルコリメータと、前記受信光ファイバの出力端に設けられ中心波長と一致する波長の光信号のみ透過させ残りの波長の光信号を反射させるよう前記デュアルコリメータの出力端に同軸で付着されるフィルターと、前記フィルターを透過した波長の光信号が出力される送信光ファイバを有するシングルコリメータと、前記デュアル、シングルコリメータのデュアル、シングルピグテールが各々挿入されるデュアル、シングルガラス部材が前記フィルターとシングルコリメータとの間にエアギャップを形成するよう左右両端に各々装着される固定チューブとを備え、前記エアギャップを通過する光信号を減衰させる遮断部材と、前記フィルターを透過して出力される光信号の出力方向と交差する方向に前記遮断部材を移動させるＭＥＭＳアクチュエータと、前記アクチュエータの作動量を制御する制御部とを含むことを特徴とする光減衰器一体型波長分割多重化装置を具備する。
【００１９】
好ましくは、前記固定チューブは左右両端の外周面に硬化用ガスが供給されるガス孔が各々貫通形成される。好ましくは、前記固定チューブは前記エアギャップと対応する外部面に前記遮断部材が自由に移動する開口部が貫通形成される。
【発明の効果】
【００２０】
前述した如く本発明によれば、多様な波長が混合された光信号中必要な特定波長のみ分離してＤｅｍｕｘするシステムの内部領域にＤｅｍｕｘされた光信号がシステム外部に出力される前に光信号の光量を減衰する遮断部材を集積化することにより、全体システムの構造及び組立工程を単純化させられる為、製造原価を節減し、小型化設計が可能になる。  
また、従来のように光減衰器を別途に作製し光ファイバを互いに溶融接着させる必要が無くなり、光ファイバを通して出力される光信号の挿入損失を下げ製品の信頼性をより向上させることができる。
【発明を実施するための最良の形態】
【００２１】
本発明についてより詳しく説明する。  
図１は本発明による光減衰器一体型波長分割多重化装置において遮断部材がフィルターとシングルグリンレンズとの間に配置される全体構成図で、図２は本発明による光減衰器一体型波長分割多重化装置において遮断部材がフィルターとシングルグリンレンズとの間に配置される部分詳細図で、図３は本発明による光減衰器一体型波長分割多重化装置において遮断部材がシングルグリンレンズとシングルピグテールとの間に配置される全体構成図で、図４は本発明による光減衰器一体型波長分割多重化装置において遮断部材がシングルグリンレンズとシングルピグテールとの間に配置される部分詳細図である。
【００２２】
本発明の装置（１００）は図１〜４に示したように、複数のチャネルで伝送された光信号を一チャネルに集めるようＭｕｘする合波器と一つのチャネルで伝送された混合光信号中必要な特定波長のみをチャネル別に分離するようＤｅｍｕｘする分波器（ｄｅｍｕｌｔｉｐｌｅｘｅｒ）とで成るシステムの内部領域にＤｅｍｕｘされた光信号がシステム外部に出力される前に光信号の光量を減衰させる減衰手段を集積したもので、こうした装置（１００）は受信光ファイバ（１１０ａ）、フィルター（１２０）、送信光ファイバ（１３０ａ）、遮断部材（１４０）、アクチュエータ（１５０）、制御部（１６０）から成る。
【００２３】
即ち、前記受信光ファイバ（１１０ａ）は少なくとも２個以上の波長が混合された光信号が外部から入力されて入射するチャネルである。
【００２４】
こうした受信光ファイバ（１１０ａ）は図示されない光源を通して入射した光を平行光に変換させるデュアルコリメータ（１１０）に設けられ、前記デュアルコリメータ（１１０）は、前記受信光ファイバ（１１０ａ）が挿入配置される挿入孔（１１１ａ）を胴体中央に貫通形成したデュアルピグテール（１１１）と、前記デュアルピグテール（１１１）と同軸的に配置され光信号を屈折させるデュアルグリンレンズ（１１２）とで成る。
【００２５】
ここで、前記デュアルピグテール（１１１）の出力側一端部は一定の角度で傾いた傾斜面に形成され、前記デュアルグリンレンズ（１１２）の入力側一端部にも前記デュアルピグテール（１１１）の傾斜面と対応するよう傾斜配置される傾斜面が並んで形成される。
【００２６】
そして、前記フィルター（１２０）は前記デュアルコリメータ（１１０）を構成する受信光ファイバの出力側に設けられ中心波長と一致する波長の光信号のみ透過させ、残りの波長の光信号は反射させる部材である。
【００２７】
ここで、前記デュアルコリメータ（１１０）のデュアルピグテール（１１１）には前記挿入孔（１１１ａ）の隣接した箇所に異なる挿入孔（１１１ｂ）を貫通形成してこれに前記フィルター（１２０）を透過できず反射する反射光が通過する反射光ファイバ（１１０ｂ）を挿入配置する。
【００２８】
こうした前記フィルター（１２０）は低い挿入損失（ｉｎｓｅｒｔ  ｌｏｓｓ）と高い波長分離度（ｉｓｏｌａｔｉｏｎ）の光学特性を有する誘電体薄膜フィルターから成ることが好ましい。
【００２９】
また、前記送信光ファイバ（１３０ａ）は前記フィルター（１２０）により反射されず透過された波長の光信号のみ外部に出射されるチャネルである。
【００３０】
こうした送信光ファイバ（１３０ａ）はシングルコリメータ（１３０）に設けられ、前記シングルコリメータ（１３０）は、胴体中央に挿入孔（１３１ａ）が貫通形成されこれに前記送信光ファイバ（１３０ａ）が挿入配置されるシングルピグテール（１３１）と、前記シングルピグテール（１３１）と同軸に配置され光信号を屈折させるシングルグリンレンズ（１３２）とで成る。
【００３１】
一方、前記遮断部材（１４０）は、前記デュアルコリメータ（１１０）とシングルコリメータ（１３０）との間に配置されたフィルター（１４０）を透過した光信号を減衰させて光強度を低下させたり、低下された光強度を高められるよう前記フィルター（１２０）と前記透過した光信号が出射するシングルコリメータ（１３０）の間で光信号が通過する通路に配置される遮断手段である。
【００３２】
こうした遮断部材（１４０）は図１，２に示したように、前記フィルター（１２０）を透過した特定波長の光信号が送信光ファイバ（１３０ａ）に正確に一致するよう屈折させるシングルグリンレンズ（１３２）と前記フィルター（１２０）との間に形成されるエアギャップ（Ｇ１）に対応配置される。
【００３３】
また、前記遮断部材（１４０）は図３，４に示したように、前記フィルター（１２０）を透過した特定波長の光信号が送信光ファイバ（１３０ａ）に正確に一致するよう屈折させるシングルグリンレンズ（１３２）と前記送信光ファイバ（１３０ａ）が備えられるシングルピグテール（１３１）との間に形成されるさらに他のエアギャップ（Ｇ２）に対応配置されてもよい。
【００３４】
そして、前記アクチュエータ（１５０）は前記フィルター（１２０）を透過して出力される光信号の出力方向に交差しながら光信号の送信量を制御する方向に前記遮断部材（１４０）を前後移動させる作動手段である。
【００３５】
こうしたアクチュエータ（１５０）は、メイン基板（１９０）の上部面に固定設置される固定フィンガー部（１５２）と前記メイン基板（１９０）の上部面に一端が固定された可動ステージの他端に連結される可動フィンガー部（１５１）とで成り、前記可動フィンガー部（１５１）の先端一側に前記遮断部材（１４０）を設けたコムドライブ（ｃｏｍｂ  ｄｒｉｖｅ）型ＭＥＭＳ（Ｍｉｃｒｏｅｌｅｃｔｒｏｍｅｃｈｎｉｃａｌ  Ｓｙｓｔｅｍ）アクチュエータである。
【００３６】
これは前記固定フィンガー部（１５２）にバイアス電圧を印加して弾性片から成る可動ステージに連結された可動フィンガー部（１５１）を前後移動させると、前記可動フィンガー部（１５１）の移動量に応じて前記遮断部材（１４０）は光信号が進行する方向に対して交差する方向に前後進しながら、前記フィルター（１２０）とシングルグリンレンズ（１３２）との間のエアギャップ（Ｇ１）または前記シングルグリンレンズ（１３２）とシングルピグテール（１３１）との間のエアギャップ（Ｇ２）を通過する光信号の光量を減衰させるのである。
【００３７】
また、前記アクチュエータ（１５０）はスクラッチドライブ（ｓｃｒａｔｃｈ  ｄｒｉｖｅ）型ＭＥＭＳアクチュエータからでも構成することができる。
【００３８】
そして、前記制御部（１６０）は前記遮断部材（１４０）を光信号の出力方向に対して交差する方向に前後進させるアクチュエータ（１５０）の作動量を制御するものである。
【００３９】
こうした制御部（１６０）には、前記遮断部材（１４０）により減衰され送信光ファイバ（１３０ａ）を通して外部に送信される光信号の強度を感知し測定した後、測定値を前記制御部（１６０）にフィードバックする光受信素子（ｐｈｏｔｏｄｅｔｅｃｔｏｒ）（１６１）を連結構成することが好ましい。
【００４０】
こうして、前記光受信素子（１６１）により感知された光の強度をフィードバックする制御部（１６０）が前記アクチュエータ（１５０）の作動量を制御して前記遮断部材（１４０）の位置を調節できるのである。
【００４１】
前記アクチュエータ（１５０）は、前記受信、送信光ファイバ（１１０ａ）（１３０ａ）が同軸上に位置するよう固定設置されるメイン基板（１９０）上に一体に設けられるのが好ましい。
【実施例】
【００４２】
（実施例１，２）
図５、６は本発明による光減衰器一体型波長分割多重化装置の第１、２実施例を示した構成図である。
【００４３】
本発明の波長分割多重化装置（１００ａ）（１００ｂ）は同軸上に配置されるデュアルコリメータ（１１０）、フィルター（１２０）及びシングルコリメータ（１３０）を備えて構成されるが、前記デュアル、シングルコリメータ（１１０）（１３０）は前記受信、送信光ファイバ（１１０ａ）（１３０ａ）が設けられるデュアル、シングルピグテール（１１１）（１３１）の出力側端部の傾斜面に接着部材（１７１）（１７４）を介してデュアル、シングルグリンレンズ（１１２）（１３２）が各々付着され、前記デュアル、シングルピグテール（１１１）（１３１）は中空型デュアル、シングルガラス部材（１１３）（１３３）に各々挿入固定される。
【００４４】
また、前記フィルター（１２０）は前記受信光ファイバ（１１０ａ）を通して入力される光信号のうち中心波長と一致する波長の光信号のみ透過させ残りの波長の光信号は反射させるものであり、これは前記デュアルコリメータ（１１０）を構成するデュアルグリンレンズ（１１２）の出力端に接着部材（１７２）を介して同軸で付着され、透過した光信号が出力される出力端にも接着部材（１７３）を介してシングルコリメータ（１３０）のシングルグリンレンズ（１３２）が付着される。
【００４５】
ここで、前記シングルコリメータ（１３０）のシングルグリンレンズ（１３２）と前記フィルター（１２０）とを同軸で連結する接着部材（１７３）には図５に示したように、前記フィルター（１４０）を透過した光信号を減衰させる遮断部材（１４０）が自由に前後進できるよう透過した光信号が通過する通路の外径より大きく、前記シングルグリンレンズ（１３２）の外径より小さい高さ（Ｈ）を有するエアギャップ（Ｇ３）に形成し、これに前記遮断部材（１４０）を対応配置させる。
【００４６】
そして、前記シングルコリメータ（１３０）のシングルグリンレンズ（１３２）とシングルピグテール（１３１）とを同軸で連結する接着部材（１７４）にも図６に示したように、前記遮断部材（１４０）が自由に前後進できるよう透過した光信号が通過する通路の外径より大きく、前記シングルグリンレンズ（１３２）の外径よりは小さい高さを有するさらに他のエアギャップ（Ｇ４）に形成し、これに前記遮断部材（１４０）を対応配置される。
【００４７】
ここで、前記接着部材（１７１）（１７２）（１７３）（１７４）は光信号を挿入損失無しで通過させる、硬化時に十分な固定力を発生させる透明なエポキシ樹脂から成る。
【００４８】
こうした遮断部材（１４０）は前記のように前記フィルター（１２０）を透過して出力される光信号の出力方向に交差しながら光信号の送信量を減衰する方向に前後移動させるアクチュエータ（１５０）に設けられ、前記アクチュエータ（１５０）は透過した光信号の減衰量を精密に調節できるよう制御部（１６０）により前後進作動が制御される。
【００４９】
（実施例３）
図７は本発明による光減衰器一体型波長分割多重化装置の第３実施例を示した構成図である。
【００５０】
本発明の波長分割多重化装置（１００ｃ）は同軸上に配置されるデュアルコリメータ（１１０）、フィルター（１２０）及びシングルコリメータ（１３０）を備えて構成されるが、前記デュアル、シングルコリメータ（１１０）（１３０）は前記受信、送信光ファイバ（１１０ａ）（１３０ａ）が設けられるデュアル、シングルピグテール（１１１）（１３１）の出力側端部の傾斜面に接着部材（１７１）（１７４）を介してデュアル、シングルグリンレンズ（１１２）（１３２）が各々付着され、前記デュアル、シングルピグテール（１１１）（１３１）とデュアル、シングルグリンレンズ（１１２）（１３２）は中空型デュアル、シングルガラス部材（１１３）（１３３）に各々同軸上に配置されるよう挿入される。
【００５１】
そして、前記デュアル、シングルガラス部材（１１３）（１３３）は中空型固定チューブ（１８０）の左右両端に各々挿入配置されてから、前記固定チューブ（１８０）の内周面に塗布される接着部材（１７５）により固定される。
【００５２】
ここで、前記固定チューブ（１８０）の左右両端外周面には、前記固定チューブ（１８０）とデュアル、シングルコリメータ（１１０）（１３０）との間に塗布される接着部材を迅速に硬化できるよう窒素ガスが供給されるガス孔（１８１ａ）（１８１ｂ）を複数個貫通形成する。
【００５３】
前記固定チューブ（１８０）の内部空間には、前記デュアルガラス部材（１１３）のデュアルグリンレンズ（１１２）に同軸上に付着されたフィルター（１２０）と前記シングルコリメータ（１３０）のシングルグリンレンズ（１３２）との間に前記遮断部材（１４０）が自由に前後進しながら透過した光信号の光量を減衰調節できるよう遮断部材（１４０）が移動するエアギャップ（Ｇ）が形成される。
【００５４】
こうしたエアギャップ（Ｇ）は前記固定チューブ（１８０）の左右両端に挿入される前記デュアル、シングルガラス部材（１１３）（１３３）の挿入深さを可変させ調節することができる。
【００５５】
また、前記フィルター（１２０）は前記受信光ファイバ（１１０ａ）を通して入力される光信号のうち中心波長と一致する波長の光信号のみ透過させ残りの波長の光信号は反射させるものであり、これは前記デュアルコリメータ（１１０）を構成するデュアルグリンレンズ（１１２）の出力端に接着部材（１７２）を介して同軸で付着される。
【００５６】
前記遮断部材（１４０）は前記と同様に、前記フィルター（１２０）を透過して出力される光信号の出力方向に交差しながら光信号の送信量を減衰する方向に前後移動させるアクチュエータ（１５０）に設けられ、前記アクチュエータ（１５０）は透過した光信号の減衰量を精密に調節できるよう制御部（１６０）により前後進移動量が制御される。
【００５７】
また、前記固定チューブ（１８０）は、前記エアギャップ（Ｇ３）と相互対応する外部面に、前記遮断部材（１４０）が自由に移動する開口部（１８２）が貫通形成される。
【００５８】
前記構成を有する本発明の波長分割多重化装置を用いて波長が混合された光信号から特定光信号を分波してＤｅｍｕｘし、Ｄｅｍｕｘされた光信号を減衰する動作はデュアル、シングルコリメータ（１１０）（１３０）が少なくとも２個以上の多チャネルに設けられ、各チャネル毎にＭＥＭＳアクチュエータ（１５０）が設けられるメイン基板（１９０）上において行われる。
【００５９】
即ち、前記メイン基板（１９０）上に位置固定されたデュアルコリメータ（１１０）の受信光ファイバ（１１０ａ）を通して少なくとも２個以上の相異する波長（λ１、λ２、λ３、λ４）が混合された光信号が入力されると、入力された光信号はグリンレンズ（１１２）を通過しながらフィルター（１２０）に焦点が合うよう屈折する。
【００６０】
前記フィルター（１２０）の中心波と一致する波長（λ１）はこれを通過してシングルコリメータ（１３０）側に光信号が伝送されるのに比して、残りの波長（λ２、λ３、λ４）は前記フィルター（１２０）により反射され反射光ファイバ（１１０ｂ）側に伝送される。
【００６１】
この際、最初のチャネルに設けられるデュアルコリメータ（１１０）の反射光ファイバ（１１０ｂ）を通して反射する波長を有する光信号は隣接する第２のチャネルのデュアルコリメータ（１１０）側に入力され、予め設定された波長のみ透過させ、残りは反射され隣接するチャネル側に入力されるのである。
【００６２】
一方、前記フィルター（１２０）を透過した光信号は、前記フィルター（１２０）とシングルコリメータ（１３０）のシングルグリンレンズ（１３２）との間に形成されるエアギャップ（Ｇ１）または前記シングルグリンレンズ（１３２）とシングルピグテール（１３１）との間に形成されるエアギャップ（Ｇ２）に設けられる遮断部材（１４０）により光量が減衰する。
【００６３】
即ち、前記遮断部材（１４０）は固定フィンガー部（１５２）と可動フィンガー部（１５１）とで成るアクチュエータ（１５０）によりその移動が制御されるが、外部電源に連結された前記固定フィンガー部（１５２）にバイアス電圧を印加して可動フィンガー部（１５１）を前後移動させると、前記可動フィンガー部（１５１）に設けられた遮断部材（１４０）は光信号が進む方向に対して交差する方向に前後進しながら前記フィルター（１２０）とシングルグリンレンズ（１３２）との間のエアギャップ（Ｇ）（Ｇ１）（Ｇ３）または前記シングルグリンレンズ（１３２）とシングルピグテール（１３１）との間のエアギャップ（Ｇ２）（Ｇ４）を通過する光信号の光量を減衰させるのである。
【００６４】
弾性片から成る可動ステージが前後移動すると、前記可動ステージの移動量に応じて前記可動フィンガー部（１５２）に設けられた遮断部材（１４０）が光信号が進む方向に対して交差する方向に前後進しながら前記エアギャップ（Ｇ）（Ｇ１）（Ｇ２）（Ｇ３）（Ｇ４）を通過する光信号の光量を減衰させた後、シングルコリメータ（１３０）の送信光ファイバ（１３０ａ）を通して出力させるのである。
【００６５】
そして、前記送信光ファイバ（１３０ａ）はこれを通して出力される光信号の強度を感知し測定してから測定値を前記制御部（１６０）にフィードバックする光受信素子（１６１）を備えている為、前記アクチュエータ（１５０）として遮断部材を移動させる制御部（１６０）は前記光受信素子（１６１）からフィードバックされる光の強度に基づいて前記アクチュエータ（１５０）により遮断部材（１４０）の位置を調節する移動量を制御するのである。
【００６６】
本発明は特定な実施例に係り図示・説明したが、添付の請求の範囲により具備される本発明の精神や分野を外れない限度内において本発明が多様に改造及び変化され得ることは当業界において通常の知識を有する者であれば容易に想到できることを明かしておく。
【図面の簡単な説明】
【００６７】
【図１】本発明による光減衰器一体型波長分割多重化装置において遮断部材がフィルターとシングルグリンレンズとの間に配置される全体構成図である。
【図２】本発明による光減衰器一体型波長分割多重化装置において遮断部材がフィルターとシングルグリンレンズとの間に配置される部分詳細図である。
【図３】本発明による光減衰器一体型波長分割多重化装置において遮断部材がシングルグリンレンズとシングルピグテールとの間に配置される全体構成図である。
【図４】本発明による光減衰器一体型波長分割多重化装置において遮断部材がシングルグリンレンズとシングルピグテールとの間に配置される部分詳細図である。
【図５】本発明による光減衰器一体型波長分割多重化装置の第１、２実施例を示した構成図である。
【図６】本発明による光減衰器一体型波長分割多重化装置の第１、２実施例を示した構成図である。
【図７】本発明による光減衰器一体型波長分割多重化装置の第３実施例を示した構成図である。
【図８】一般の薄膜フィルター方式を用いた波長分割多重化装置を示した概略図である。
【図９】一般の薄膜フィルター方式を用いた波長分割多重化装置を示した構成図である。
【符号の説明】
【００６８】
１１０  デュアルコリメータ
１１１  デュアルピグテール
１１２  デュアルグリンレンズ
１１３  デュアルガラス部材
１２０  フィルター
１３０  シングルコリメータ
１３１  シングルピグテール
１３２  シングルグリンレンズ
１３３  シングルガラス部材
１４０  遮断部材
１５０  アクチュエータ
１６０  制御部
１７１、１７２、１７３、１７４、１７５  接着部材
１８０  固定チューブ
１８１ａ、１８１ｂ  ガス孔
１９０  メイン基板
【図１】
2005122096.tif 000003
【図２】
2005122096.tif 000004
【図３】
2005122096.tif 000005
【図４】
2005122096.tif 000006
【図５】
2005122096.tif 000007
【図６】
2005122096.tif 000008
【図７】
2005122096.tif 000009
【図８】
2005122096.tif 000010
【図９】
2005122096.tif 000011